(57)【要約】【課題】  本発明は、上記問題を解決するためになされたもので、本発明の課題は、手洗い器又は洗面器を重量に関係なく、縦方向の寸法を小さくできる手洗い器又は洗面器の取り付け装置を提供すること。【解決手段】  部屋の入隅に取り付ける手洗い器又は洗面器の取り付け装置であって、前記手洗い器又は前記洗面器を載置固定する載置部材と、前記載置部材と連結されており、かつ前記手洗い器又は前記洗面器の後方で部屋の第一の壁面に固定される背面固定板とを備え、前記載置部材には前記手洗い器又は前記洗面器の排水口に連結する排水管を貫通させる排水管貫通孔を設けており、前記載置部材と連結されており、かつ前記手洗い器又は前記洗面器の側面で前記第一の壁面と直行する第二の壁面に固定される側面固定板をさらに備え、前記背面固定板は前記第一の壁面に第一の固定材により固定され、前記側面固定板は前記第二の壁面に第二の固定材により固定されていることを特徴とする手洗い器又は洗面器の取り付け装置を提供する。【選択図】  図１
2010022463.tif 000002
【特許請求の範囲】
【請求項１】
部屋の入隅に取り付ける手洗い器又は洗面器の取り付け装置であって、前記手洗い器又は前記洗面器を載置する載置部材と、前記載置部材と連結されており、かつ前記手洗い器又は前記洗面器の後方で部屋の第一の壁面に固定される背面固定板とを備え、前記載置部材には前記手洗い器又は前記洗面器の排水口に連結する排水管を貫通させる排水管貫通孔を設けており、前記載置部材と連結されており、かつ前記手洗い器又は前記洗面器の側面で前記第一の壁面と直行する第二の壁面に固定される側面固定板をさらに備え、
前記背面固定板は前記第一の壁面に第一の固定材により固定され、前記側面固定板は前記第二の壁面に第二の固定材により固定されていることを特徴とする手洗い器又は洗面器の取り付け装置。
【請求項２】
前記載置部材と略垂直になるように、前記壁面固定板の前記側面固定板と逆側の端部近傍と連結している板状の突出壁面が設けてあることを特徴とする請求項１に記載の手洗い器又は洗面器の取り付け装置。
【請求項３】
前記側面固定板と前記載置部の間に内部補強用のリブが設けてあることを特徴とする請求項１乃至２に記載の手洗い器又は洗面器の取り付け装置。
【請求項４】
前記背面固定板にネジ貫通孔が設けられ、前期背面固定板を前記リブ方向から正面視したときに、前記ネジ貫通孔と前記リブが重ならない構造となっていることを特徴とする請求項１乃至３に記載の手洗い器又は洗面器の取り付け装置。
【請求項５】
前記側面固定板にネジ貫通孔が設けられ、前期側面固定板を前記突出壁面方向から正面視したときに、前記ネジ貫通孔と前記突出壁面が重ならない構造となっていることを特徴とする請求項１乃至４に記載の手洗い器又は洗面器の取り付け装置。
【請求項６】
前記背面固定板の突出壁面近傍の下端、若しくは側面固定板の前方下端の少なくともどちらか片方が面取り加工されていることを特徴とする請求項１乃至５に記載の手洗い器又は洗面器の取り付け装置。
【請求項７】
前記手洗い器又は洗面器には給水栓が一体に取り付けられ、前記載置部材に前記手洗い器又は前記洗面器の給水装置へと連結する給水管が貫通する貫通孔を設けてあることを特徴とする請求項１乃至６に記載の手洗い器又は洗面器の取り付け装置。
【請求項８】
請求項１乃至７のいずれかに記載の手洗い器又は前記洗面器の取り付け装置を用いた洗面器又は洗面器の取り付け構造。
【発明の詳細な説明】
【技術分野】
【０００１】
本発明は、手洗い器又は洗面器を壁に取り付けるための取り付け装置に係り、特に部屋の入隅部に手洗い器又は洗面器を取り付けるのに好適な手洗い器又は洗面器の取り付け装置に関するものである。
【背景技術】
【０００２】
従来、部屋に手洗い器又は洗面器を取り付ける場合、部屋のある壁面に金具を固定し、その上に載置する方法が知られている（たとえば、特許文献１参照）。
【０００３】
また、従来の壁掛式手洗い器の固定法方法としては、カウンターと、カウンター裏面と壁面を支持するアーム部を持つブラケットで構成されるカウンターブラケットによるものが一般的に知られている（たとえば、特許文献２参照）。
【特許文献１】特開2007-215874号公報
【特許文献２】特開2000-106966号公報（第６頁、第１図）
【発明の開示】
【発明が解決しようとする課題】
【０００４】
ところで、上述した特許文献１に記載されている手洗い器又は洗面器の取り付け構造では、手洗い器又は洗面器の重量がすべて一つの壁面にかかることになるため、載置部材の端に荷重をかけると壁面への荷重が増大し、破損する可能性があるという問題があった。本発明は上記問題を解決するためになされたものである。
【課題を解決するための手段】
【０００５】
上記課題を解決するための本発明によれば、部屋の入隅に取り付ける手洗い器又は洗面器の取り付け装置であって、前記手洗い器又は前記洗面器を載置固定する載置部材と、前記載置部材と連結されており、かつ前記手洗い器又は前記洗面器の後方で部屋の第一の壁面に固定される背面固定板とを備え、前記載置部材には前記手洗い器又は前記洗面器の排水口に連結する排水管を貫通させる排水管貫通孔を設けており、前記載置部材と連結されており、かつ前記手洗い器又は前記洗面器の側面で前記第一の壁面と直行する第二の壁面に固定される側面固定板をさらに備え、前記背面固定板は前記第一の壁面に第一の固定材により固定され、前記側面固定板は前記第二の壁面に第二の固定材により固定されていることを特徴とする。
【発明の効果】
【０００６】
本発明によれば手洗い器又は洗面器の荷重は、取り付け装置が固定された二つの壁面に分散し、破損する可能性を低減することができる。
【発明を実施するための最良の形態】
【０００７】
以下、本発明の実施形態を図面に基づいて説明する。
図１は、本発明に係る第一実施例の取り付け装置を示す斜視図である。図２は図１に示す取り付け装置に手洗い器を取り付けた状態を示す。
【０００８】
取り付け装置１は手洗い器１４を載置する載置部材２と、その載置部材２の手洗い器の背面方向壁面側端部から略垂直に下方向へ連結された背面固定板３と、手洗い器の側面方向壁面側端部から略垂直に下方向へ連結された側面固定板４から構成されている。
【０００９】
予め背面固定板３と側面固定板４にはそれぞれネジ貫通孔８ａ、８ｂが設けられ、それぞれの角は面取り加工されている。
【００１０】
側面固定板３と背面固定板４の間にはそれぞれと約４５度で連結された板状の連結部１０が設けられており、さらにこの連結部１０にはネジ貫通孔８ｃが設けられている。
【００１１】
載置部材２と側面固定板４の間には内部補強用のリブ７が取り付けられている。
【００１２】
また、背面固定板３をリブ７側から正面視した場合に、ネジ貫通孔８ａとリブ７とが重ならない形状となっている（図６参照）。
【００１３】
背面固定板３の側面固定板４と逆側端部には突出壁面６が設けられ、リブ７と同様に側面固定板４を突出壁面６側から正面視した場合に、設けられたネジ貫通孔８ｂと突出壁面６とが重ならない形状となっている。（図７参照）
【００１４】
載置部材２には排水管貫通孔５と複数の手洗い器固定穴９が設けられ、  載置部材２にはカバー係合用凸凹１０が複数設けられている。
【００１５】
取り付け装置１は、固定材を介して背面固定板３と側面固定板４を直行する二つの壁面に、ネジ貫通孔８ａ、８ｂを通じてネジ固定されることで、部屋の入隅に設置される。そのほか取り付け装置を壁面に固定する方法は、ネジや釘を用いる方法や、接着剤や両面テープ等を用いる方法などが挙げられる。
部屋の入隅に隅柱が存在する場合、連結部１０をネジ等で隅柱に固定する
【００１６】
手洗い器１４は、手洗い器固定穴９を利用して取り付け装置１にネジ固定され、手洗い器１４の排水口へつながる排水管は排水管貫通孔５を通じて連結される。
【００１７】
図８に示すように、載置部材２に設けられたカバー係合用凸凹１０を利用して、係合する凸凹を内部に備えたカバー１３が取り付けられる。
【００１８】
本発明によれば、手洗い器又は洗面器を戴置した際に、手洗い器または洗面器の荷重を直行する二つの壁面で受けることになるので、耐荷重性が向上する。
例えば、使用者が手洗い器または洗面器に手をついた際に、ひとつの壁面に固定されている場合、手をついた場所が固定された壁面からもっとも遠い端部であれば壁面との距離が大きくなるために、かかる荷重モーメントは増大する。しかし、直行する二つの壁面に固定されている場合、一方の壁面から最も遠い端部に手をついたとしても、距離の近い他方の壁面に荷重が分散されるために、一つの壁面にかかる荷重モーメントは低減される。
また、連結部１１を利用して隅柱へも固定することによりさらに耐荷重性が向上する。
特にネジで固定する場合には、取り付け装置が壁の躯体に強固に固定される構造となるので、より耐荷重性が向上して好ましい。
【００１９】
背面固定板３と側面固定板４の素材が金属などの硬い材質である場合、施工時にネジを貫通させることが難しく、あらかじめネジ貫通孔８ａ、８ｂを設けておくことにより現場での施工性が向上する効果が得られる。
また、ネジ貫通孔８ａ、８ｂに対してリブ７、突出壁面６がそれぞれを隠さない構造になっていることで、ネジ穴へのアプローチ時に障害とならない。このような構成により、ネジ等を壁に対して垂直に施工することが容易となり、取り付け装置固定の施工性が向上する。
【００２０】
載置部材２と側面固定板４の間に内部補強用のリブ７を設けることにより、載置部材２にかかる荷重は戴置部材２と側面固定板４との連結部だけに集中せず、載置部材２にかかる荷重を側面固定板４で受けることが可能になる。
また突出壁面６を設けることにより、戴置部材２にかかる荷重は戴置部材２と背面固定板３との連結部だけに集中せず、戴置部材２にかかる荷重を背面固定板３で受けることが可能になる。また、長方形の手洗い器に対応するために戴置部材２が伸長された場合であっても、載置部材２の変形を防ぎ、耐荷重性を保つことが可能である。
【００２１】
手洗い器１４は手洗い器固定穴９を利用して、載置部２にネジ固定されることによってただ設置した場合にくらべて安定性が向上する。
【００２２】
手洗い器の排水管にはトラップが設けられるのが一般的であり、手洗い器の排水口に近い場所に設けられることが多い。カバー１３を取り付けることにより、トラップを隠蔽することが可能となり、意匠性が増す。また、載置部材２に設けられた複数のカバー係合用凸凹１０とカバー内部の凸凹が係合することにより、カバーのがたつきを低減することができる。
【００２３】
図３に本発明に係る第二の実施例を示す。給水栓１６が一体となった手洗い器１４を設置することを目的とした実施例である。図４は図３に示す取り付け装置に手洗い器を取り付けた状態を示す。
【００２４】
手洗い器１４と一体となった給水栓１６に接続するための給水管は載置部材２に穿設された給水管貫通孔１２を通じて接続される。その他の構成は第一の実施例と同一であり、同一符号は同一の要素を示す。
【００２５】
図９は第二実施例である手洗い器取り付け装置１を用いて、トイレブース内に手洗い器を設置した場合の平面図を示している。このとき、手洗い器取り付け装置１によって、手洗い器１９は便器１７近傍の部屋の入隅に取り付けられている。  
【００２６】
給水管が給水管貫通孔１２を通じて接続されることにより、給水管と排水管を同時に隠蔽することが可能となり施工性もよく意匠的に好ましい。
【００２７】
手洗い器１９を便器１７近傍の部屋の入隅に取り付けられることによって、図１０にしめしたようなカウンターブラケット方式による手洗い器の設置と異なり、使用者は手洗い器１９によって阻害されることなく便器１７を使用することができる。結果として、狭い間口のトイレ空間においても手洗い器を十分に設置可能な状態を構成することを実現している。
【００２８】
なお、両実施例において、長方形の手洗い器を設置する例を示したが、載置する手洗い器、又は洗面器は正方形や扇形であってもかまわない。
また、この手洗い器または洗面器は給水栓のない、単なる流しであっても問題ない。
【図面の簡単な説明】
【００２９】
【図１】本発明の第一実施例を示す斜視図である。
【図２】図１の取り付け装置に手洗い器を取り付けた状態を示す斜視図である。
【図３】本発明の第二実施例を示す斜視図である。
【図４】図３の取り付け装置に手洗い器を取り付けた状態を示す斜視図である。
【図５】図３で示した実施例の正面図である。
【図６】図３で示した実施例の側面図である。
【図７】図３で示した実施例の平面図である。
【図８】図４の取り付け例においてカバーを取り付けた状態を示す斜視図である。
【図９】比較的狭いトイレルーム空間に第二実施例を利用して手洗い器を設置した場合の平面図である。
【図１０】比較的狭いトイレルーム空間にカウンター式の手洗い器を設けた場合の平面図である。
【符号の説明】
【００３０】
１…取り付け装置
２…載置部材
３…背面固定板
４…側面固定板
５…排水管貫通孔
６…突出壁面
７…リブ
８ａ…ネジ貫通孔（背面固定板）
８ｂ…ネジ貫通孔（側面固定板）
８ｃ…ネジ貫通孔（連結部）
９…手洗い器固定穴
１０…カバー係合用凹凸
１１…連結部
１２…給水栓貫通孔
１３…カバー
１４…手洗い器
１５…壁付け水栓
１６…手洗い器一体型水栓
１７…便器
１８…カウンター
１９…カウンター設置型手洗い器
【図１】
2010022463.tif 000003
【図２】
2010022463.tif 000004
【図３】
2010022463.tif 000005
【図４】
2010022463.tif 000006
【図５】
2010022463.tif 000007
【図６】
2010022463.tif 000008
【図７】
2010022463.tif 000009
【図８】
2010022463.tif 000010
【図９】
2010022463.tif 000011
【図１０】
2010022463.tif 000012